(57)【要約】      （修正有）【課題】クリップ構造を具有する取り外し可能のキッズプレートの構造を提供する。【解決手段】プレート１に少なくとも一つの脚１１を設置し、脚にクリップ構造１１０を設ける。クリップ構造は第一パーツ及び対応する第二パーツを具有し、該第一パーツは抵触部及びプル部を具有し、該第二パーツは溝を具有する。第一パーツ及び第二パーツの間に回転軸を設置し、第一パーツ及び第二パーツは該回転軸を介し、回転して夾合することができる。第一パーツ及び第二パーツを合わせた際に、縦方向の開口を構成し、第一パーツの抵触部は第二パーツの溝を閉合することができ、抵触部及び溝により横方向の開口を形成する。第一パーツ及び第二パーツにより、横方向及び縦方向の二つの方向で挟むデザインにより、本クリップ構造は椅子の縦棒９１及び横棒９２を挟み、外力を加えても、椅子は縦向き或いは横向きにスライドすることなく、安全で安定した構造である。【選択図】図５
0003169299.tif 000002
【実用新案登録請求の範囲】
【請求項１】
プレート及びクリップ構造を含み、
該クリップ構造は脚に設置し、
該クリップ構造に第一パーツ及び対応する第二パーツを具有し、
該第一パーツは抵触部及びプル部を具有し、該第二パーツは溝を具有し、
第一パーツ及び第二パーツの間に回転軸を設置し、第一パーツ及び第二パーツは該回転軸を介し、回転して夾合することができ、
第一パーツ及び第二パーツを合わせた際に、縦方向の開口を構成し、第一パーツの抵触部は第二パーツの溝を閉合することができ、抵触部及び溝により横方向の開口を形成することを特徴とするクリップ構造を具有する取り外し可能のキッズプレートの構造。
【請求項２】
前記プレートにスロットを具有し、該スロットに脚の一端を挿入することができることを特徴とする請求項１記載のクリップ構造を具有する取り外し可能のキッズプレートの構造。
【考案の詳細な説明】
【技術分野】
【０００１】
本考案はキッズプレートの構造に関し、特にクリップ構造を具有する取り外し可能のキッズプレートの構造に関する。
【背景技術】
【０００２】
乳幼児が成長する段階から、よい食事習慣を身につけさせるために、多くの親は子供のためのキッズチェアを用意し、家での食事の際に、動き回るのではなく、大人しく椅子に座って食事をさせるようにしつける。
【０００３】
従来技術のキッズチェアは、プレートと椅子が直接接続されている。構造は安定しているが、体積が大きく、携帯するのも収納するのも不便である。市販されている可動タイプのキッズチェアは、キッズプレートは可動式のデザインだが、携帯や収納に便利でも、操作方法は難しく、使用する際に、子供の指などを挟む危険性が潜んでいる。また、組立式のキッズチェアも市販されているが、可動タイプのキッズチェアと同様、携帯と収納に便利だが、同様に組立が面倒のほか、構造が不安定である問題が存在する。特に組立式のキッズチェアの組立方法の多くは、治具で一本の棒を締め付けて固定する。このように組み立てても、治具は棒の上を移動することがあり、使用上不便であるほか、構造が不安定であるために、乳幼児が転倒する恐れがあることを鑑みて、更なる改善が必要であった。
【先行技術文献】
【特許文献】
【０００４】
【特許文献１】特許公表２０１０−５１２９３６号公報
【考案の概要】
【考案が解決しようとする課題】
【０００５】
前記公知構造の欠点を解決するため、本考案は操作が簡単、取り外しやすく、安全に使用することができ、安定した構造を具有するクリップ構造を具有する取り外し可能のキッズプレートの構造を提供することを主な課題とする。
【課題を解決するための手段】
【０００６】
上述の目的を解決するために、本考案はクリップ構造を具有する取り外し可能のキッズプレートの構造を提供するものである。プレートに少なくとも一つの脚を設置し、脚にクリップ構造を設ける。クリップ構造は第一パーツ及び対応する第二パーツを具有し、該第一パーツは抵触部及びプル部を具有し、該第二パーツは溝を具有する。第一パーツ及び第二パーツの間に回転軸を設置し、第一パーツ及び第二パーツは該回転軸を介し、回転して夾合することができる。第一パーツ及び第二パーツを合わせた際に、縦方向の開口を構成し、第一パーツの抵触部は第二パーツの溝を閉合することができ、抵触部及び溝により横方向の開口を形成する。
ユーザーが本考案を椅子に設置する際、まず脚のクリップ構造にある第一パーツ及び第二パーツを開き、第二パーツの溝を椅子にある横棒に套合し、更に第一パーツ及び第二パーツを合わせ、第一パーツ及び第二パーツが構成する縦方向の開口が椅子の縦棒を挟むようにする。同時に、第一パーツの抵触部と溝が構成する横方向の開口もまた椅子の横棒を挟む。このように、第一パーツ及び第二パーツの横方向の開口及び縦方向の開口がしっかりと椅子にある縦棒及び横棒を挟むため、安定して結合する目的に達する。更に第一パーツ及び第二パーツの横方向の開口及び縦方向の開口の双方から挟むデザインにより、如何なる方向から力を加えても、椅子は縦向き或いは横向きにスライドすることなく、構造の安定性を高める。
【０００７】
さらに、前記プレートにスロットを具有し、該スロットに脚の一端を挿入することができることを特徴とする。
【考案の効果】
【０００８】
本考案は第一パーツ及び第二パーツが構成する縦方向の開口と、第一パーツの抵触部と溝が構成する横方向の開口により、それぞれ椅子の縦棒及び横棒を挟む。縦横の双方から挟むデザインにより、如何なる方向から力を加えても、椅子は縦向き或いは横向きにスライドすることなく、構造の安定性を高める。
【図面の簡単な説明】
【０００９】
【図１】本考案における立体外観図である。
【図２】本考案における立体分解図である。
【図３】本考案における局部立体拡大図である。
【図４】本考案における別の局部の立体拡大図である。
【図５】本考案における実施状態図である。
【考案を実施するための形態】
【００１０】
本考案によるクリップ構造を具有する取り外し可能のキッズプレートの構造を明確に示すために図に沿って詳細な説明を行う。
【００１１】
図１から図４に示すのは、本考案のクリップ構造を具有する取り外し可能のキッズプレートの構造であり、それに含まれるのは、プレート１と、プレートに具有するスロット１０である。
【実施例】
【００１２】
少なくとも一つの脚１１の一端はスロット１０に差し込むことができる。脚１１にクリップ構造１１０を設け、該クリップ構造１１０は第一パーツ１１０１及び対応する第二パーツ１１０２を具有する。該第一パーツ１１０１は抵触部１１０１１及びプル部１１０１２を具有し、第二パーツ１１０２は溝１１０２０を具有する。第一パーツ１１０１及び第二パーツ１１０２の間に回転軸１１０３を設置し、第一パーツ１１０１及び第二パーツ１１０２は該回転軸１１０３を介し、回転して夾合することができる。第一パーツ及び第二パーツ１１０２を合わせた際に、縦方向の開口１１０を構成し、第一パーツ１１０１の抵触部１１０１１は第二パーツ１１０２の溝１１０２０を閉合することができ、抵触部１１０１１及び溝１１０２０により横方向の開口１１０００を形成する。
【産業上の利用可能性】
【００１３】
図３、図５に示すように、ユーザーが本考案を使って、子供に食事をさせる際、本考案を椅子９に設置する。まず脚１１のクリップ構造１１０にある第一パーツ１１０１及び第二パーツ１１０２を開き、第二パーツ１１０２の溝１１０２０を椅子９にある横棒９２に套合し、更に第一パーツ１１０１及び第二パーツ１１０２を合わせ、第一パーツ１１０１及び第二パーツ１１０２が構成する縦方向の開口１１００が椅子９の縦棒９１を挟むようにする。同時に、第一パーツ１１０１の抵触部１１０１１と溝１１０２０が構成する横方向の開口１１０００もまた椅子の横棒９２を挟む。このように、第一パーツ１１０１及び第二パーツ１１０２の横方向の開口１１０００及び縦方向の開口１１００がしっかりと椅子９にある縦棒９１及び横棒９２を挟むため、安定して結合する目的に達する。更に第一パーツ１１０１及び第二パーツ１１０２の横方向の開口１１０００及び縦方向の開口１１０００の双方から挟むデザインにより、如何なる方向から力を加えても、椅子９は縦向き或いは横向きにスライドすることなく、大きな面積を包み込むことができ、構造の安定性を高める。
【００１４】
逆に、食事が終わり、本考案を収納する際、ユーザーは直接脚１１のクリップ構造１１０にある第一パーツ１１０１及び第二パーツ１１０２を開けば、簡単に椅子９の縦棒９１及び横棒９２から外すことができる。
【００１５】
本考案の構造はシンプルであり、操作が簡単である。使用する際、ユーザーはクリップ構造１１０のプル部１１０１２を引くだけで、無駄な力を省くことができる。更に図４に示すように、プレートの脚１１をプレート１のスロット１０から外すと、体積は小さくなり、収納或いは携帯がしやすくなる。
【００１６】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１７】
１  プレート
９  椅子
９１  縦棒
９２  横棒
１０  スロット
１１０  クリップ構造
１１００  縦方向の開口
１１０００  横方向の開口
１１０１  第一パーツ
１１０２  第二パーツ
１１０１１  抵触部
１１０１２  プル部
１１０２０  溝
１１０３  回転軸
１１  脚
【図１】
0003169299.tif 000003
【図２】
0003169299.tif 000004
【図３】
0003169299.tif 000005
【図４】
0003169299.tif 000006
【図５】
0003169299.tif 000007
【手続補正書】
【提出日】平成23年5月20日(2011.5.20)
【手続補正１】
【補正対象書類名】実用新案登録請求の範囲
【補正対象項目名】請求項１
【補正方法】変更
【補正の内容】
【請求項１】
プレート、該プレートに設置された少なくとも一つの脚、及び該脚に設置されたクリップ構造を含み、
該クリップ構造に第一パーツ及び対応する第二パーツを具有し、
該第一パーツは抵触部及びプル部を具有し、該第二パーツは溝を具有し、
第一パーツ及び第二パーツの間に回転軸を設置し、第一パーツ及び第二パーツは該回転軸を介し、回転して夾合することができ、
第一パーツ及び第二パーツを合わせた際に、縦方向の開口を構成し、第一パーツの抵触部は第二パーツの溝を閉合することができ、抵触部及び溝により横方向の開口を形成することを特徴とするクリップ構造を具有する取り外し可能のキッズプレートの構造。